(57)【要約】【課題】易化切断部を施された感熱紙が剥離紙なしで巻回されたロール紙から、四隅が丸形状のラベルを専用工具なしで作成可能にすること。【解決手段】ロール紙１には、ミシン目２１の一端２２から感熱紙１１の一端側側面２４に沿って感熱紙１１に対称的に形成された一対の一端側Ｒ加工部２６（２６Ａ，２６Ｂ）と、ミシン目２１の他端２３から感熱紙１１の他端側側面２５に沿って感熱紙１１に対称的に形成された一対の他端側Ｒ加工部２７（２７Ａ，２７Ｂ）とが施される。感熱紙１１がミシン目２１に沿って切り取られてラベルが作成されると、そのラベルの四隅が一端側Ｒ加工部２６Ａ，２６Ｂと他端側Ｒ加工部２７Ａ，２７Ｂとによって既に丸くなっているので、ミシン目２１を施された感熱紙１１が剥離紙なしで巻回されたロール紙１から、四隅が丸形状のラベルを専用工具なしで作成することができる。【選択図】図５
2012158027.tif 000002
【特許請求の範囲】
【請求項１】
長尺状の感熱紙と、前記感熱紙の一面に形成された剥離層と、前記感熱紙の他面に形成された粘着層とを有し、前記粘着層が内側にされながら前記感熱紙が巻回されたロール紙であって、
前記感熱紙の幅方向へ直線状に加工された複数の易化切断部と、
前記易化切断部の一端から前記感熱紙の長尺方向の一端側側面に沿って前記感熱紙に対称的に形成された一対の一端側Ｒ加工部と、
前記易化切断部の他端から前記感熱紙の長尺方向の他端側側面に沿って前記感熱紙に対称的に形成された一対の他端側Ｒ加工部と、を備え、
前記一対の一端側Ｒ加工部と前記一対の他端側Ｒ加工部とが前記易化切断部の各々に対して形成されたこと、を特徴とするロール紙。
【請求項２】
請求項１に記載するロール紙であって、
前記易化切断部がミシン目であること、を特徴とするロール紙。
【請求項３】
請求項１又は請求項２に記載するロール紙の中空部に挿通される軸部と、
前記ロール紙の一端側側面とは対向関係にあることにより前記ロール紙の一端側側面の全体を覆う一端側支持板と、を備えたこと、を特徴とするロール紙ホルダ。
【請求項４】
請求項３に記載するロール紙ホルダであって、
前記ロール紙の他端側側面とは対向関係にあることにより前記ロール紙の他端側側面の全体を覆う他端側支持板と、
前記ロール紙の周面の上側から前記一端側Ｒ加工部を覆う一端側上周面被覆材と、
前記ロール紙の周面の上側から前記他端側Ｒ加工部を覆う他端側上周面被覆材と、を備え、
前記一端側上周面被覆材と前記一端側支持板とが一体であり、
前記他端側上周面被覆材と前記他端側支持板とが一体であること、を特徴とするロール紙ホルダ。
【請求項５】
請求項４に記載するロール紙ホルダであって、
前記ロール紙の周面の下側から前記一端側Ｒ加工部を覆う一端側下周面被覆材と、
前記ロール紙の周面の下側から前記他端側Ｒ加工部を覆う他端側下周面被覆材と、を備え、
前記一端側下周面被覆材と前記一端側支持板とが一体であり、
前記他端側下周面被覆材と前記他端側支持板とが一体であり、
前記一端側上周面被覆材と前記一端側下周面被覆材との間及び前記他端側上周面被覆材と前記他端側下周面被覆材との間を使用して形成される排出部から前記ロール紙が排出されること、を特徴とするロール紙ホルダ。
【請求項６】
請求項５に記載するロール紙ホルダであって、
前記一端側上周面被覆材と前記一端側下周面被覆材とが前記排出部を残して一体となった一端側周面被覆材と、
前記他端側上周面被覆材と前記他端側下周面被覆材とが前記排出部を残して一体となった他端側周面被覆材と、を備えたこと、を特徴とするロール紙ホルダ。
【請求項７】
請求項３に記載するロール紙ホルダであって、
前記ロール紙の他端側側面とは対向関係にあることにより前記ロール紙の他端側側面の全体を覆う他端側支持板と、
前記ロール紙の周面の上側から前記一端側Ｒ加工部を覆う一端側上周面被覆材と、
前記ロール紙の周面の上側から前記他端側Ｒ加工部を覆う他端側上周面被覆材と、
前記ロール紙の周面の下側から前記一端側Ｒ加工部を覆う一端側下周面被覆材と、
前記ロール紙の周面の下側から前記他端側Ｒ加工部を覆う他端側下周面被覆材と、
前記一端側上周面被覆材と前記他端側上周面被覆材と前記一端側下周面被覆材と前記他端側下周面被覆材とが一体となった周面被覆材と、を備え、
前記周面被覆材が前記一端側支持板又は前記他端側支持板と一体であり、
前記周面被覆材に設けられた開口部から前記ロール紙が排出されること、を特徴とするロール紙ホルダ。
【発明の詳細な説明】
【技術分野】
【０００１】
本発明は、易化切断部（例えば、ミシン目等）を施された感熱紙が剥離紙なしで巻回されたロール紙、及びそのロール紙が支持されたロール紙ホルダに関するものである。
【背景技術】
【０００２】
従来より、ロール紙として、例えば、下記特許文献１に記載されたライナーレス感熱記録ラベルシートがある。そのようなライナーレス感熱記録ラベルシートでは、図２８に示されたように、複数のミシン目１２０１を施された感熱紙１２０２が使用され、感熱紙１２０２が剥離紙なしで巻回されている。
【０００３】
しかしながら、図２８に示されたように、ミシン目１２０１が感熱紙１２０２の両側側面１２０３，１２０４まで施されているため、感熱紙１２０２がミシン目１２０１に沿って切り取られることにより作成されるラベル１２０５では、その四隅が直角の形状になっていた。
【先行技術文献】
【特許文献】
【０００４】
【特許文献１】特開２００１−６６９９３号公報
【発明の概要】
【発明が解決しようとする課題】
【０００５】
そのため、ミシン目を施された感熱紙が剥離紙なしで巻回されたロール紙を使用することにより、見栄えが良く剥がれにくい四隅が丸形状のラベルを作成しようとする場合には、感熱紙がミシン目に沿って切り取られることにより作成されたラベルに対して、その四隅を丸くカットする専用工具を使用しなければならなかった。
【０００６】
もっとも、ミシン目に沿って切り取られることによりラベルが作成される感熱紙には剥離紙が貼られておらず、専用工具が使用される際には、感熱紙（ラベル）の一方の面に露出した粘着層の表面上に専用工具のカット刃が直接触れることになるので、感熱紙（ラベル）の一方の面に露出した粘着層を形成している粘着剤が専用工具のカット刃に付着し易い状態にあった。
【０００７】
そこで、本発明は、上述した点を鑑みてなされたものであり、易化切断部を施された感熱紙が剥離紙なしで巻回されたロール紙から、四隅が丸形状のラベルを専用工具なしで作成可能にすることを課題とする。
【課題を解決するための手段】
【０００８】
この課題を解決するためになされた請求項１に係る発明は、長尺状の感熱紙と、前記感熱紙の一面に形成された剥離層と、前記感熱紙の他面に形成された粘着層とを有し、前記粘着層が内側にされながら前記感熱紙が巻回されたロール紙であって、前記感熱紙の幅方向へ直線状に加工された複数の易化切断部と、前記易化切断部の一端から前記感熱紙の長尺方向の一端側側面に沿って前記感熱紙に対称的に形成された一対の一端側Ｒ加工部と、前記易化切断部の他端から前記感熱紙の長尺方向の他端側側面に沿って前記感熱紙に対称的に形成された一対の他端側Ｒ加工部と、を備え、前記一対の一端側Ｒ加工部と前記一対の他端側Ｒ加工部とが前記易化切断部の各々に対して形成されたこと、を特徴とする。
【発明の効果】
【０００９】
すなわち、請求項１に係るロール紙では、易化切断部の一端から感熱紙の長尺方向の一端側側面に沿って感熱紙に対称的に形成された一対の一端側Ｒ加工部と、易化切断部の他端から感熱紙の長尺方向の他端側側面に沿って感熱紙に対称的に形成された一対の他端側Ｒ加工部と、が施されており、感熱紙が易化切断部に沿って感熱紙の幅方向へ直線状に切り取られることにより作成されたラベルの四隅が一端側Ｒ加工部と他端側Ｒ加工部とによって既に丸くなっているので、易化切断部を施された感熱紙が剥離紙なしで巻回されたロール紙から、四隅が丸形状のラベルを専用工具なしで作成することができる。
【図面の簡単な説明】
【００１０】
【図１】本発明の一実施形態に係るロール紙の構成要素である長尺状の感熱紙が表された平面図である。
【図２】図１（ａ）の切断線Ａ−Ａで感熱紙が切断された際の感熱紙の断面が表された図である。
【図３】本発明の一実施形態に係る第１ロール紙ホルダが装着されるラベルライターが表された斜視図である。
【図４】図３の切断線Ｂ−Ｂで同ラベルライターが切断された場合の同ラベルライターの断面が表された図である。
【図５】長尺状の感熱紙を構成要素とする同ロール紙が表された斜視図である。
【図６】同第１ロール紙ホルダが表された斜視図である。
【図７】同第１ロール紙ホルダの分解斜視図（同ロール紙を除く）である。
【図８】図６の矢視Ｃから表された同第１ロール紙ホルダの正面図である。
【図９】図６の矢視Ｄから表された同第１ロール紙ホルダの背面図である。
【図１０】本発明の一実施形態に係る第２ロール紙ホルダが表された斜視図である。
【図１１】本発明の一実施形態に係る第３ロール紙ホルダが表された斜視図である。
【図１２】本発明の一実施形態に係る第４ロール紙ホルダが表された斜視図である。
【図１３】本発明の一実施形態に係る第５ロール紙ホルダが表された斜視図である。
【図１４】同第２ロール紙ホルダの分解斜視図（同ロール紙を除く）である。
【図１５】図１０の矢視Ｃから表された同第２ロール紙ホルダの正面図である。
【図１６】図１０の矢視Ｄから表された同第２ロール紙ホルダの背面図である。
【図１７】同第３ロール紙ホルダの分解斜視図（上記ロール紙を除く）である。
【図１８】図１１の矢視Ｃから表された同第３ロール紙ホルダの正面図である。
【図１９】図１１の矢視Ｄから表された同第３ロール紙ホルダの背面図である。
【図２０】同第４ロール紙ホルダの分解斜視図（上記ロール紙を除く）である。
【図２１】図１２の矢視Ｃから表された第４ロール紙ホルダの正面図である。
【図２２】図１２の矢視Ｄから表された第４ロール紙ホルダの背面図である。
【図２３】同第５ロール紙ホルダの分解斜視図（上記ロール紙を除く）である。
【図２４】図１３の矢視Ｃから表された第５ロール紙ホルダの正面図である。
【図２５】図１３の矢視Ｄから表された第５ロール紙ホルダの背面図である。
【図２６】同第１ロール紙ホルダが有する他端側支持板の側面図である。
【図２７】同第３ロール紙ホルダが有する他端側支持板の側面図である。
【図２８】従来技術のロール紙として、ライナーレス感熱記録ラベルシートが表された図である。
【発明を実施するための形態】
【００１１】
［１．ロール紙］
先ず、本発明の一実施形態に係るロール紙について説明する。図１（ａ）は、感熱紙１１の一面１２が表された平面図である。図１（ｂ）は、感熱紙１１の他面１３が表された平面図である。感熱紙１１の一面１２と他面１３は表裏の関係にある。
【００１２】
図２に表されたように、感熱紙１１においては、感熱紙１１の一面１２上に剥離層１４が形成され、感熱紙１１の他面１３上に粘着層１５が形成されている。剥離層１４は、例えば、感熱紙１１の一面１２上にシリコンが塗布されることによって形成される。粘着層１５は、例えば、感熱紙１１の他面１３上に粘着剤が塗布されることによって形成される。
【００１３】
図１（ａ）（ｂ）に戻り、長尺状の感熱紙１１においては、感熱紙１１の幅方向へ直線状に複数のミシン目２１が加工されている。ミシン目２１の一端２２から感熱紙１１の長尺方向の一端側側面２４に沿って、２つの一端側Ｒ加工部２６Ａ，２６Ｂが感熱紙１１に対称的に形成されている。２つの一端側Ｒ加工部２６Ａ，２６Ｂによって、一対の一端側Ｒ加工部２６が構成される。一方、ミシン目２１の他端２３から感熱紙１１の長尺方向の他端側側面２５に沿って、２つの他端側Ｒ加工部２７Ａ，２７Ｂが感熱紙１１に対称的に形成されている。２つの他端側Ｒ加工部２７Ａ，２７Ｂによって、一対の他端側Ｒ加工部２７が構成される。
【００１４】
さらに、長尺状の感熱紙１１においては、一対の一端側Ｒ加工部２６（２６Ａ，２６Ｂ）と一対の他端側Ｒ加工部２７（２７Ａ，２７Ｂ）とがミシン目２１の各々に対して形成されている。
【００１５】
尚、感熱紙１１においては、粘着層１５が形成されている他面１３上にセンサマークＭが予め印刷されている。センサマークＭは、印刷時の頭出しを行う際に使用されるものであり、剥離層１４が形成されている感熱紙１１の一面１２上には印刷されていない。
【００１６】
ロール紙１では、粘着層１５（上記図１，上記図２参照）が形成されている他面１３（上記図１，上記図２参照）を内側にしながら感熱紙１１が筒状スプール２８に対して巻回（ロール加工）されている。つまり、図５に表されたように、ロール紙１は、剥離層１４が形成されている一面１２を外側にしながら感熱紙１１が筒状スプール２８に対して巻回（ロール加工）されている。
【００１７】
尚、ロール紙１の筒状スプール２８における円柱状の空洞によって「ロール紙の中空部」が形成されている。
【００１８】
以上より、本実施形態に係るロール紙１では、ミシン目２１の一端２２から感熱紙１１の一端側側面２４に沿って対称的に形成された一対の一端側Ｒ加工部２６（２６Ａ，２６Ｂ）の側面が感熱紙１１の一面１２上に露呈している。同様にして、ミシン目２１の他端２３から感熱紙１１の他端側側面２５に沿って対称的に形成された一対の他端側Ｒ加工部２７（２７Ａ，２７Ｂ）の側面が感熱紙１１の一面１２上に露呈している。
【００１９】
さらに、本実施形態に係るロール紙１は、感熱紙１１の一端側側面２４が積層されることによって形成された一端側側面２と、感熱紙１１の他端側側面２５が積層されることによって形成された他端側側面３とを有する。つまり、本実施形態に係るロール紙１では、一端側側面２と他端側側面３とが露呈している。
【００２０】
すなわち、本実施形態に係るロール紙１では、上記図５に表されたように、ミシン目２１の一端２２から感熱紙１１の長尺方向の一端側側面２４に沿って感熱紙１１に対称的に形成された一対の一端側Ｒ加工部２６（２６Ａ，２６Ｂ）と、ミシン目２１の他端２３から感熱紙１１の長尺方向の他端側側面２５に沿って感熱紙１１に対称的に形成された一対の他端側Ｒ加工部２７（２７Ａ，２７Ｂ）と、が施されている。
【００２１】
従って、感熱紙１１がミシン目２１に沿って感熱紙１１の幅方向へ直線状に切り取られることによりラベルが作成されると、そのラベルの四隅が一端側Ｒ加工部２６Ａ，２６Ｂと他端側Ｒ加工部２７Ａ，２７Ｂとによって既に丸くなっているので、ミシン目２１を施された感熱紙１１が剥離紙なしで巻回（ロール加工）されたロール紙１から、四隅が丸形状のラベルを専用工具なしで作成することができる。
【００２２】
尚、本実施形態に係るロール紙１は上記実施形態に限定されるものでなく、その趣旨を逸脱しない範囲で様々な変更が可能である。
例えば、ミシン目２１に替えて、スリット等を感熱紙１１に加工してもよい。このスリットとは、ミシン目２１の代わりに、少なくとも２箇所の切り残し、残り部分は切断されていることを意味する。
【００２３】
［２．第１ロール紙ホルダ］
次に、本発明の一実施形態に係る第１ロール紙ホルダについて説明する。
【００２４】
図６乃至図９に表されたように、第１ロール紙ホルダ４１は、一端側支持板４２、他端側支持板４３、軸部４８を有する。
【００２５】
一端側支持板４２の周縁には一端側周面被覆材４４が他端側支持板４３に向かって突設されている。一端側周面被覆材４４は、円弧状をなし、２つの切欠端部４６，４６を有している。また、一端側支持板４２の中心部には円形開口部４２Ｄが設けられている。円形開口部４２Ｄの内周面には凸部４２Ｅが設けられている。さらに、第１ロール紙ホルダ４１自身を後述するラベルライターに装着させるため、一端側支持板４２の外周には一端側係止部４２Ａ，４２Ｂ，４２Ｃが形成されている。
【００２６】
他端側支持板４３の周縁には他端側周面被覆材４５が一端側支持板４２に向かって突設されている。他端側周面被覆材４５は、円弧状をなし、２つの切欠端部４７，４７を有している。また、他端側支持板４３の中心部には円形開口部４３Ｄが設けられている。さらに、第１ロール紙ホルダ４１自身を後述するラベルライターに装着させるため、他端側支持板４３の外周には他端側係止部４３Ａ，４３Ｂ，４３Ｃが形成されている。
【００２７】
つまり、一端側支持板４２の凸部４２Ｅを除けば、一端側支持板４２と他端側支持板４３とは左右が逆になった形状関係にある。
【００２８】
軸部４８は、フランジ部４８Ａ、円筒部４８Ｂ、及び凹部４８Ｃを有する。円筒部４８Ｂの一端側に凹部４８Ｃが設けられ、円筒部４８Ｂの他端側にフランジ部４８Ａが設けられている。
【００２９】
第１ロール紙ホルダ４１では、以下（１）乃至（３）により、ロール紙１が取り付けられる。
（１）他端側支持板４３の円形開口部４３Ｄに対して軸部４８の円筒部４８Ｂが嵌め込まれる。この嵌め込みにより、軸部４８のフランジ部４８Ａは他端側支持板４３に当たった状態にされる。
（２）他端側支持板４３の円形開口部４３Ｄから突出した軸部４８の円筒部４８Ｂに対してロール紙１の筒状スプール２８が挿通される。
（３）ロール紙１の筒状スプール２８から突出した軸部４８の円筒部４８Ｂが一端側支持板４２の円形開口部４２Ｄに対して嵌め込まれる。さらに、一端側支持板４２の円形開口部４２Ｄの凸部４２Ｅに対して軸部４８の円筒部４８Ｂの凹部４８Ｃが嵌め込まれる。これらの嵌め込みにより、一端側支持板４２に対して軸部４８が回転することを防止する。
尚、他端側支持板４３のフランジ部４８Ａと接する部分に嵌合孔を形成し、フランジ部分４８Ａの他端側支持板４３と接する部分に嵌合孔に嵌合する突起を形成し、両者が嵌合することで、他端側支持板４３に対して軸部４８が回転することを防止してもよい。
【００３０】
第１ロール紙ホルダ４１にロール紙１が取り付けられた状態では、ロール紙１の幅と比べて一端側支持板４２と他端側支持板４３との間がやや広く、また、軸部４８の円筒部４８Ｂの外径と比べてロール紙１の筒状スプール２８の内径がやや大きく、さらに、一端側周面被覆材４４及び他端側周面被覆材４５の内径と比べてロール紙１の外径がやや小さい。よって、そのような関係から形成される隙間（クリアランス）をもって、第１ロール紙ホルダ４１においてロール紙１が回動可能な状態となる。
【００３１】
さらに、一端側支持板４２がロール紙１の一端側側面２に対向し、他端側支持板４３がロール紙１の他端側側面３に対向する。
【００３２】
さらに、ロール紙１のミシン目２１の一端２２から対称的に形成された一対の一端側Ｒ加工部２６（２６Ａ，２６Ｂ）の各々が、一端側支持板４２に突設された円弧状の一端側周面被覆材４４によって覆い隠される。つまり、軸部４８に向けた垂直投影によってロール紙１に現れる一端側周面被覆材４４の一端側投影域内に一対の一端側Ｒ加工部２６（２６Ａ，２６Ｂ）の各々が存在する。
【００３３】
同様にして、ロール紙１のミシン目２１の他端２３から対称的に形成された一対の他端側Ｒ加工部２７（２７Ａ，２７Ｂ）の各々が、他端側支持板４３に突設された円弧状の他端側周面被覆材４５によって覆い隠される。つまり、軸部４８に向けた垂直投影によってロール紙１に現れる他端側周面被覆材４５の他端側投影域内に一対の他端側Ｒ加工部２７（２７Ａ，２７Ｂ）の各々が存在する。
【００３４】
さらに、一端側支持板４２の両切欠端部４６，４６の間と他端側支持板４３の両切欠端部４７，４７の間とが対向することによって、排出部４９が形成されている。排出部４９から、ロール紙１の感熱紙１１の先端が引き出される。
【００３５】
尚、第１ロール紙ホルダ４１では、一端側支持板４２に突設された円弧状の一端側周面被覆材４４と他端側支持板４３に突設された円弧状の他端側周面被覆材４５との間から、ロール紙１の感熱紙１１が現れている。ロール紙１の感熱紙１１が現れている面は、剥離層１４が形成されている一面１２である。
【００３６】
すなわち、本実施の形態に係る第１ロール紙ホルダ４１では、上記図６乃至上記図９に表されたように、ロール紙１が支持された状態において、ロール紙１の一端側側面２の全体が一端側支持板４２により掩蔽されるので、ロール紙１の一端側側面２から露呈している粘着層１５を起因とした汚れ付着（品質低下）を防止できる。
【００３７】
さらに、ロール紙１の他端側側面３の全体が他端側支持板４３により掩蔽されるので、ロール紙１の他端側側面３から露呈している粘着層１５を起因とした汚れ付着（品質低下）を防止できる。
【００３８】
さらに、ロール紙１の一端側Ｒ加工部２６Ａ，２６Ｂから剥き出しとなった感熱紙１１の周面１２が一端側周面被覆材４４より掩蔽され、ロール紙１の他端側Ｒ加工部２７Ａ，２７Ｂから剥き出しとなった感熱紙１１の周面１２が他端側周面被覆材４５により掩蔽されるので、ロール紙１の感熱紙１１の全周面１２上において、一端側Ｒ加工部２６Ａ，２６Ｂの側面や他端側Ｒ加工部２７Ａ，２７Ｂの側面から露呈している粘着層１５を起因とした汚れ付着（品質低下）を防止できる。
【００３９】
［３．第１ロール紙ホルダが装着されるラベルライター］
次に、本実施形態に係る第１ロール紙ホルダ４１が装着されるラベルライターについて説明する。図３に表されたように、第１ロール紙ホルダ４１が装着されるラベルライター１０１は、本体１０２と、本体１０２に対して回動可能な蓋１０３とを有している。尚、図４においては、図３の切断線Ｂ−Ｂでラベルライター１０１が切断された場合のラベルライター１０１の断面が表された図である。但し、蓋１０３（上記図３参照）は、本体１０２から外されており、表されていない。図４に表されたように、ラベルライター１０１の内部には、ロール紙ホルダ収納部１０４が設けられている。ロール紙ホルダ収納部１０４に対しては、第１ロール紙ホルダ４１が装着されている。第１ロール紙ホルダ４１がロール紙ホルダ収納部１０４に装着された状態で、ラベルライター１０１の印刷動作が行われると、第１ロール紙ホルダ４１の感熱紙１１が印刷されながらラベルライター１０１の外部に排出される。
【００４０】
第１ロール紙ホルダ４１の感熱紙１１が印刷される際に粘着層１５と接するプラテンローラー１０５については、粘着層１５により感熱紙１１がプラテンローラー１０５に貼り付くのを防止するため、シリコンゴム製のものが使用される。
【００４１】
尚、図４では、第１ロール紙ホルダ４１は、図３の切断線Ｂ−Ｂで切断された面で表されていない。つまり、図４では、第１ロール紙ホルダ４１の一端側支持板４２や、一端側支持板４２に設けられた円形開口部４２Ｄ、円形開口部４２Ｄに設けられた凸部４２Ｅ、円形開口部４２Ｄや凸部４２Ｅに嵌め込まれた軸部４８が表されている。
【００４２】
さらに、第１ロール紙ホルダ４１をラベルライター１０１に装着させる際には、図４に表されたように、第１ロール紙ホルダ４１が有する一端側支持板４２の一端側係止部４２Ａ，４２Ｂ，４２Ｃをラベルライター１０１のロール紙ホルダ収納部１０４に係り合わせる。図４に表されていないが、第１ロール紙ホルダ４１が有する他端側支持板４３の他端側係止部４３Ａ，４３Ｂ，４３Ｃ（上記図６等参照）についても同様であり、第１ロール紙ホルダ４１をラベルライター１０１に装着させる際は、ラベルライター１０１のロール紙ホルダ収納部１０４に係り合わせる。
【００４３】
［４．第２ロール紙ホルダ］
次に、本発明の一実施形態に係る第２ロール紙ホルダについて図１０、図１４〜図１６を参照して説明する。
【００４４】
第２ロール紙ホルダ１４１については、上記第１ロール紙ホルダ４１と構成上や効果上の差分がない限り説明は省略され、上記第１ロール紙ホルダ４１と同一の構成には同一符号が付される。上記ラベルライター１０１への装着についての説明も、同様とする。
【００４５】
一端側支持板４２は、平板状であり、上記第１ロール紙ホルダ４１が有する一端側周面被覆材４４は存在しない（上記図７参照）。
【００４６】
他端側支持板４３の周縁には、上記第１ロール紙ホルダ４１が有する他端側周面被覆材４５に代えて（上記図７参照）、周面被覆材１５１が突設されている。周面被覆材１５１は、円筒状をなし、２つの切欠端部１５０，１５０を有している。つまり、一端側支持板４２と他端側支持板４３は左右が逆になった形状関係にはない。
【００４７】
第２ロール紙ホルダ１４１にロール紙１が取り付けられた状態では、周面被覆材１５１の内径に比べロール紙１の外径がやや小さい。よって、そのような関係から形成される隙間（クリアランス）をもって、第２ロール紙ホルダ１４１においてロール紙１が回動可能な状態となる。
【００４８】
さらに、他端側支持板４３に突設された周面被覆材１５１の先端部分が一端側支持板４２に当たった状態にされる。よって、ロール紙１のミシン目２１の一端２２から対称的に形成された一対の一端側Ｒ加工部２６（２６Ａ，２６Ｂ）の各々と、ロール紙１のミシン目２１の他端２３から対称的に形成された一対の他端側Ｒ加工部２７（２７Ａ，２７Ｂ）の各々とが、円筒状の周面被覆材１５１によって覆い隠される。
【００４９】
さらに、一端側支持板４２と他端側支持板４３との間で周面被覆材１５１の両切欠端部１５０，１５０が対向することによって、開口部１４９が形成されている。開口部１４９から、ロール紙１の感熱紙１１の先端が引き出される。
【００５０】
尚、第２ロール紙ホルダ１４１では、一端側支持板４２と他端側支持板４３との間からは、開口部１４９を除き、ロール紙１の感熱紙１１が現れることはない。
【００５１】
すなわち、本実施の形態に係る第２ロール紙ホルダ１４１では、上記図１０、上記図１４乃至上記図１６に表されたように、ロール紙１が支持された状態において、他端側支持板４３に突設された円筒状の周面被覆材１５１が一端側支持板４２に当たった状態にあることから、ロール紙１の感熱紙１１の全周面１２に対する汚れ付着（品質低下）を周面被覆材１５１によって防止できる。
【００５２】
尚、上記第１ロール紙ホルダ４１において、一端側支持板４２に突設された円弧状の一端側周面被覆材４４と他端側支持板４３に突設された円弧状の他端側周面被覆材４５とを一体化すれば（上記図７参照）、本実施の形態に係る第２ロール紙ホルダ１４１に相当するものとなる。
【００５３】
［５．第３ロール紙ホルダ］
次に、本発明の一実施形態に係る第３ロール紙ホルダについて図１１、図１７〜図１９を参照して説明する。
【００５４】
第３ロール紙ホルダ２４１については、上記第１ロール紙ホルダ４１と構成上や効果上の差分がない限り説明は省略され、上記第１ロール紙ホルダ４１と同一の構成には同一符号が付される。上記ラベルライター１０１への装着についての説明も、同様とする。
【００５５】
一端側支持板４２の周縁には、上記第１ロール紙ホルダ４１が有する一端側周面被覆材４４に代えて（上記図７参照）、一端側上周面被覆材４４Ａ及び他端側下周面被覆材４４Ｂが突設されている。一端側上周面被覆材４４Ａは、半円弧状をなし、２つの切欠端部４６Ａ，４６Ｂを有している。他端側下周面被覆材４４Ｂも、半円弧状をなし、２つの切欠端部４６Ｃ，４６Ｄを有している。
【００５６】
他端側支持板４３の周縁には、上記第１ロール紙ホルダ４１が有する他端側周面被覆材４５に代えて（上記図７参照）、他端側上周面被覆材４５Ａ及び他端側下周面被覆材４５Ｂが突設されている。他端側上周面被覆材４５Ａは、半円弧状をなし、２つの切欠端部４７Ａ，４７Ｂを有している。他端側下周面被覆材４５Ｂも、半円弧状をなし、２つの切欠端部４７Ｃ，４７Ｄを有している。
【００５７】
図２６と図２７とを比較すればわかるように、第３ロール紙ホルダ２４１が有する他端側支持板４３においては、上記第１ロール紙ホルダ４１が有する他端側周面被覆材４５が、他端側上周面被覆材４５Ａと他端側下周面被覆材４５Ｂとに分割されている。同様にして、上記図７と図１７とを比較すればわかるように、第３ロール紙ホルダ２４１が有する一端側支持板４２においては、上記第１ロール紙ホルダ４１が有する一端側周面被覆材４４が、一端側上周面被覆材４４Ａと一端側下周面被覆材４４Ｂとに分割されている。
【００５８】
従って、第３ロール紙ホルダ２４１にロール紙１が取り付けられた状態では、一端側上周面被覆材４４Ａ及び一端側下周面被覆材４４Ｂで形成される内径に比べロール紙１の外径がやや小さく、かつ、他端側上周面被覆材４５Ａ及び他端側下周面被覆材４５Ｂで形成される内径に比べロール紙１の外径がやや小さい。よって、そのような関係から形成される隙間（クリアランス）をもって、第３ロール紙ホルダ２４１においてロール紙１が回動可能な状態となる。
【００５９】
さらに、ロール紙１のミシン目２１の一端２２から対称的に形成された一対の一端側Ｒ加工部２６（２６Ａ，２６Ｂ）の各々が、一端側支持板４２に突設された半円弧状の一端側上周面被覆材４４Ａ又は半円弧状の一端側下周面被覆材４４Ｂによって覆い隠される。つまり、軸部４８に向けた垂直投影によってロール紙１に現れる一端側上周面被覆材４４Ａ又は一端側下周面被覆材４４Ｂの一端側投影域内に一対の一端側Ｒ加工部２６（２６Ａ，２６Ｂ）の各々が存在する。
【００６０】
同様にして、ロール紙１のミシン目２１の他端２３から対称的に形成された一対の他端側Ｒ加工部２７（２７Ａ，２７Ｂ）の各々が、他端側支持板４３に突設された半円弧状の他端側上周面被覆材４５Ａ又は半円弧状の他端側下周面被覆材４５Ｂによって覆い隠される。つまり、軸部４８に向けた垂直投影によってロール紙１に現れる他端側上周面被覆材４５Ａ又は他端側下周面被覆材４５Ｂの他端側投影域内に一対の他端側Ｒ加工部２７（２７Ａ，２７Ｂ）の各々が存在する。
【００６１】
さらに、一端側支持板４２の両切欠端部４６Ａ，４６Ｃの間と他端側支持板４３の両切欠端部４７Ａ，４７Ｃの間とが対向することによって、排出部４９が形成されている。
【００６２】
尚、第３ロール紙ホルダ２４１では、一端側支持板４２に突設された半円弧状の一端側上周面被覆材４４Ａ及び半円弧状の一端側下周面被覆材４４Ｂと他端側支持板４３に突設された半円弧状の他端側上周面被覆材４５Ａ及び半円弧状の他端側下周面被覆材４５Ｂとの間から、ロール紙１の感熱紙１１が現れている。
【００６３】
すなわち、本実施の形態に係る第３ロール紙ホルダ２４１では、上記図１１、上記図１７乃至上記図１９に表されたように、ロール紙１が支持された状態において、ロール紙１の一端側Ｒ加工部２６Ａ，２６Ｂから剥き出しとなった感熱紙１１の上周面１２が一端側上周面被覆材４４Ａより掩蔽され、ロール紙１の他端側Ｒ加工部２７Ａ，２７Ｂから剥き出しとなった感熱紙１１の上周面１２が他端側上周面被覆材４５Ａより掩蔽され、さらに、ロール紙１の一端側Ｒ加工部２６Ａ，２６Ｂから剥き出しとなった感熱紙１１の下周面１２が一端側下周面被覆材４４Ｂより掩蔽され、ロール紙１の他端側Ｒ加工部２７Ａ，２７Ｂから剥き出しとなった感熱紙１１の下周面１２が他端側下周面被覆材４５Ｂより掩蔽されるので、ロール紙１の感熱紙１１の上下周面１２上において、一端側Ｒ加工部２６Ａ，２６Ｂの側面や他端側Ｒ加工部２７Ａ，２７Ｂの側面から露呈している粘着層１５を起因とした汚れ付着（品質低下）を防止できる。
【００６４】
尚、本実施の形態に係る第３ロール紙ホルダ２４１において、一端側支持板４２に突設された半円弧状の一端側上周面被覆材４４Ａ及び半円弧状の一端側下周面被覆材４４Ｂと、他端側支持板４３に突設された半円弧状の他端側上周面被覆材４５Ａ及び半円弧状の他端側下周面被覆材４５Ｂとを一体化すれば、上記第２ロール紙ホルダ１４１に相当するものとなる。
【００６５】
［６．第４ロール紙ホルダ］
次に、本発明の一実施形態に係る第４ロール紙ホルダについて図１２、図２０〜２２を参照して説明する。
【００６６】
第４ロール紙ホルダ３４１については、上記第３ロール紙ホルダ２４１と構成上や効果上の差分がない限り説明は省略され、上記第３ロール紙ホルダ２４１と同一の構成には同一符号が付される。上記ラベルライター１０１への装着についての説明も、同様とする。
【００６７】
一端側支持板４２の周縁には、上記第３ロール紙ホルダ２４１が有する一端側上周面被覆材４４Ａは突設されているが、上記第３ロール紙ホルダ２４１が有する他端側下周面被覆材４４Ｂは存在しない（上記図１７参照）。
【００６８】
他端側支持板４３の周縁には、上記第３ロール紙ホルダ２４１が有する他端側上周面被覆材４５Ａは突設されているが、上記第３ロール紙ホルダ２４１が有する他端側下周面被覆材４５Ｂは存在しない（上記図１７参照）。
【００６９】
すなわち、本実施の形態に係る第４ロール紙ホルダ３４１では、上記図１２、上記図２０乃至上記図２２に表されたように、ロール紙１が支持された状態において、ロール紙１の一端側Ｒ加工部２６Ａ，２６Ｂから剥き出しとなった感熱紙１１の上周面１２が一端側上周面被覆材４４Ａより掩蔽され、さらに、ロール紙１の他端側Ｒ加工部２７Ａ，２７Ｂから剥き出しとなった感熱紙１１の上周面１２が他端側上周面被覆材４５Ａより掩蔽されるので、ロール紙１の感熱紙１１の上周面１２上において、一端側Ｒ加工部２６Ａ，２６Ｂの側面や他端側Ｒ加工部２７Ａ，２７Ｂの側面から露呈している粘着層１５を起因とした汚れ付着（品質低下）を防止できる。
【００７０】
［７．第５ロール紙ホルダ］
次に、本発明の一実施形態に係る第５ロール紙ホルダについて図１３、図２３〜２５を参照して説明する。
【００７１】
第５ロール紙ホルダ４４１については、上記第１ロール紙ホルダ４１と構成上の差分がない限り説明は省略され、上記第１ロール紙ホルダ４１と同一の構成には同一符号が付される。上記ラベルライター１０１への装着についての説明も、同様とする。
【００７２】
一端側支持板４２は、平板状であり、上記第１ロール紙ホルダ４１が有する一端側周面被覆材４４は存在しない（上記図７参照）。
【００７３】
さらに、上記第１ロール紙ホルダ４１が有する他端側周面被覆材４３は存在しない（上記図７参照）。
【００７４】
第５ロール紙ホルダ４４１では、以下（１′）乃至（２′）により、ロール紙１が取り付けられる。
（１′）軸部４８の円筒部４８Ｂに対してロール紙１の筒状スプール２８が挿通される。
（２′）ロール紙１の筒状スプール２８から突出した軸部４８の円筒部４８Ｂが一端側支持板４２の円形開口部４２Ｄに対して嵌め込まれる。さらに、一端側支持板４２の円形開口部４２Ｄの凸部４２Ｅに対して軸部４８の円筒部４８Ｂの凹部４８Ｃが嵌め込まれる。これらの嵌め込みにより、一端側支持板４２に対して軸部４８が回転することを防止する。
【００７５】
第５ロール紙ホルダ４４１にロール紙１が取り付けられた状態では、ロール紙１の幅に比べ一端側支持板４２と軸部４８のフランジ部４８Ａとの間がやや広い。よって、そのような関係から形成される隙間（クリアランス）をもって、第５ロール紙ホルダ４４１においてロール紙１が回動可能な状態となる。
【００７６】
すなわち、本実施の形態に係る第５ロール紙ホルダ４４１では、上記図１３、上記図２３乃至上記図２５に表されたように、ロール紙１が支持された状態において、ロール紙１の一端側側面２の全体が一端側支持板４２により側面視で掩蔽されるので、ロール紙１の一端側側面２から露呈している粘着層１５を起因とした汚れ付着（品質低下）を防止できる。
【００７７】
ちなみに、第５ロール紙ホルダ４４１をラベルライター１０１に装着させる際には、図４に表されたように、第１ロール紙ホルダ４１が有する一端側支持板４２の一端側係止部４２Ａ，４２Ｂ，４２Ｃのみをラベルライター１０１のロール紙ホルダ収納部１０４に係り合わせる。
【００７８】
［８．実施形態の効果］
第５ロール紙ホルダ４４１では、ロール紙１の筒状スプール２８に挿通される軸部４８と、ロール紙１の一端側側面２とは対向関係にあることによりロール紙１の一端側側面２の全体を覆う一端側支持板４２と、を備えており、ロール紙１が支持された状態において、ロール紙１の一端側側面２の全体が一端側支持板４２により掩蔽されるので、ロール紙１の一端側側面２から露呈している粘着層１５を起因とした汚れ付着（品質低下）を防止できる。
【００７９】
第４ロール紙ホルダ３４１では、第５ロール紙ホルダ４４１に対し、ロール紙１の他端側側面３とは対向関係にあることによりロール紙１の他端側側面３の全体を覆う他端側支持板４３を備えており、ロール紙１の他端側側面３の全体が他端側支持板４３により掩蔽されるので、第５ロール紙ホルダ４４１が奏する上記効果に加え、ロール紙１の他端側側面３から露呈している粘着層１５を起因とした汚れ付着（品質低下）を防止できる。
【００８０】
さらに、第４ロール紙ホルダ３４１では、ロール紙１の周面１２の上側から一端側Ｒ加工部２６（２６Ａ，２６Ｂ）を覆う一端側上周面被覆材４４Ａと、ロール紙１の周面１２の上側から他端側Ｒ加工部２７（２７Ａ，２７Ｂ）を覆う他端側上周面被覆材４５Ａと、を備え、一端側上周面被覆材４４Ａと一端側支持板４２とが一体であり、他端側上周面被覆材４５Ａと他端側支持板４３とが一体であることから、ロール紙１の一端側Ｒ加工部２６（２６Ａ，２６Ｂ）から剥き出しとなった感熱紙１１の上周面１２が一端側上周面被覆材４５Ａにより掩蔽され、ロール紙１の他端側Ｒ加工部２７（２７Ａ，２７Ｂ）から剥き出しとなった感熱紙１１の上周面１２が他端側上周面被覆材４５Ａにより掩蔽されるので、ロール紙１の感熱紙１１の上周面１２上において、一端側Ｒ加工部２６（２６Ａ，２６Ｂ）の側面や他端側Ｒ加工部２７（２７Ａ，２７Ｂ）の側面から露呈している粘着層１５を起因とした汚れ付着（品質低下）を防止できる。
【００８１】
第３ロール紙ホルダ２４１では、第４ロール紙ホルダ３４１に対し、ロール紙１の周面１２の下側から一端側Ｒ加工部２６（２６Ａ，２６Ｂ）を覆う一端側下周面被覆材４４Ｂと、ロール紙１の周面１２の下側から他端側Ｒ加工部２７（２７Ａ，２７Ｂ）を覆う他端側下周面被覆材４５Ｂと、を備え、一端側下周面被覆材４４Ｂと一端側支持板４２とが一体であり、他端側下周面被覆材４５Ｂと他端側支持板４３とが一体であることから、ロール紙１の一端側Ｒ加工部２６（２６Ａ，２６Ｂ）から剥き出しとなった感熱紙１１の下周面１２が一端側下周面被覆材４４Ｂにより掩蔽され、ロール紙１の他端側Ｒ加工部２７（２７Ａ，２７Ｂ）から剥き出しとなった感熱紙１１の下周面１２が他端側下周面被覆材４５Ｂにより掩蔽されるので、第４ロール紙ホルダ３４１が奏する上記各効果に加え、ロール紙１の感熱紙１１の下周面１２上において、一端側Ｒ加工部２６（２６Ａ，２６Ｂ）の側面や他端側Ｒ加工部２７（２７Ａ，２７Ｂ）の側面から露呈している粘着層１５を起因とした汚れ付着（品質低下）を防止できる。
【００８２】
第１ロール紙ホルダ４１では、第３ロール紙ホルダ２４１に対し、一端側上周面被覆材４４Ａと一端側下周面被覆材４４Ｂとが排出部４９を残して一体となった一端側周面被覆材４４と、他端側上周面被覆材４５Ａと他端側下周面被覆材４５Ｂとが排出部４９を残して一体となった他端側周面被覆材４５と、を備えており、ロール紙１の一端側Ｒ加工部２６（２６Ａ，２６Ｂ）から剥き出しとなった感熱紙１１の周面１２が一端側周面被覆材４４より掩蔽され、ロール紙１の他端側Ｒ加工部２７（２７Ａ，２７Ｂ）から剥き出しとなった感熱紙１１の周面１２が他端側周面被覆材４５により掩蔽されるので、第３ロール紙ホルダ２４１が奏する上記各効果に加え、ロール紙１の感熱紙１１の全周面１２上において、一端側Ｒ加工部２６（２６Ａ，２６Ｂ）の側面や他端側Ｒ加工部２７（２７Ａ，２７Ｂ）の側面から露呈している粘着層１５を起因とした汚れ付着（品質低下）を防止できる。
【００８３】
第２ロール紙ホルダ１４１では、第５ロール紙ホルダ４４１に対し、ロール紙１の他端側側面３とは対向関係にあることによりロール紙１の他端側側面３の全体を覆う他端側支持板４３と、ロール紙１の周面１２の上側から一端側Ｒ加工部２６（２６Ａ，２６Ｂ）を覆う一端側上周面被覆材４４Ａと、ロール紙１の周面１２の上側から他端側Ｒ加工部２７（２７Ａ，２７Ｂ）を覆う他端側上周面被覆材４５Ａと、ロール紙１の周面１２の下側から一端側Ｒ加工部２６（２６Ａ，２６Ｂ）を覆う一端側下周面被覆材４４Ｂと、ロール紙１の周面１２の下側から他端側Ｒ加工部２７（２７Ａ，２７Ｂ）を覆う他端側下周面被覆材４５Ｂと、一端側上周面被覆材４４Ａと他端側上周面被覆材４５Ａと一端側下周面被覆材４４Ｂと他端側下周面被覆材４５Ｂとが一体となった周面被覆材１５１と、を備え、周面被覆材１５１が一端側支持板４２と他端側支持板４３と一体であることから、第１ロール紙ホルダ４１、第３ロール紙ホルダ２４１、第４ロール紙ホルダ３４１がそれぞれ奏する上記各効果に加え、ロール紙１の感熱紙１１の全周面１２に対する汚れ付着（品質低下）を周面被覆材１５１によって防止できる。
【００８４】
［９．その他］
尚、各実施形態に係るロール紙ホルダ４１，１４１，２４１，３４１，４４１は上記各実施形態に限定されるものでなく、その趣旨を逸脱しない範囲で様々な変更が可能である。
【符号の説明】
【００８５】
１    ロール紙
２    ロール紙の一端側側面
３    ロール紙の他端側側面
１１    感熱紙
１２    感熱紙の一面
１３    感熱紙の他面
１４    剥離層
１５    粘着層
２１    ミシン目
２２    ミシン目の一端
２３    ミシン目の他端
２４    感熱紙の長尺方向の一端側側面
２５    感熱紙の長尺方向の他端側側面
２６    一対の一端側Ｒ加工部
２６Ａ  一端側Ｒ加工部
２６Ｂ  一端側Ｒ加工部
２７    一対の他端側Ｒ加工部
２７Ａ  他端側Ｒ加工部
２７Ｂ  他端側Ｒ加工部
２８    筒状スプール
４１    第１ロール紙ホルダ
４２    一端側支持板
４３    他端側支持板
４４    一端側周面被覆材
４４Ａ  一端側上周面被覆材
４４Ｂ  一端側下周面被覆材
４５    他端側周面被覆材
４５Ａ  他端側上周面被覆材
４５Ｂ  他端側下周面被覆材
４８    軸部
４９    排出部
１４１    第２ロール紙ホルダ
１４９    開口部
１５１    周面被覆材
２４１    第３ロール紙ホルダ
３４１    第４ロール紙ホルダ
４４１    第５ロール紙ホルダ
【図１】
2012158027.tif 000003
【図２】
2012158027.tif 000004
【図３】
2012158027.tif 000005
【図４】
2012158027.tif 000006
【図５】
2012158027.tif 000007
【図６】
2012158027.tif 000008
【図７】
2012158027.tif 000009
【図８】
2012158027.tif 000010
【図９】
2012158027.tif 000011
【図１０】
2012158027.tif 000012
【図１１】
2012158027.tif 000013
【図１２】
2012158027.tif 000014
【図１３】
2012158027.tif 000015
【図１４】
2012158027.tif 000016
【図１５】
2012158027.tif 000017
【図１６】
2012158027.tif 000018
【図１７】
2012158027.tif 000019
【図１８】
2012158027.tif 000020
【図１９】
2012158027.tif 000021
【図２０】
2012158027.tif 000022
【図２１】
2012158027.tif 000023
【図２２】
2012158027.tif 000024
【図２３】
2012158027.tif 000025
【図２４】
2012158027.tif 000026
【図２５】
2012158027.tif 000027
【図２６】
2012158027.tif 000028
【図２７】
2012158027.tif 000029
【図２８】
2012158027.tif 000030